(57)【特許請求の範囲】
【請求項１】
座と、前記座の一端部側を正逆方向に回転可能に支持する第１の脚フレームと、前記第１の脚フレームに対して正逆方向に回転可能に連結してなるとともに前記座の他端部側を正逆方向に回転可能に支持する第２の脚フレームとを具備してなり、前記第１の脚フレーム・第２の脚フレーム・座の相対回転によって使用状態から前記第１、第２の脚フレームが略面一をなす折り畳み状態に折り畳めるように構成されている折り畳み椅子であって、
前記座が、座本体を支持する座受部を具備してなり、この座受部が、座の厚み方向に略沿って延びる面部を有する左右の壁体同士を対向配置して構成されるものであり、折り畳み状態で前記壁体間に第１の脚フレームと第２の脚フレームの何れか一方の脚フレームを収容し得るとともに、前記一方の脚フレームの一端部側を正逆方向に回転可能に支持する支軸部を前記両壁体に支持させており、
前記壁体の上下寸法が、前記一方の脚フレームの横断面の直径よりも大きく設定されているとともに、前記一方の脚フレームが前記左右の壁体間に収容され得るように、前記座受部が、前記壁体間において後方側に開放された切欠きを備えていることを特徴とする折り畳み椅子。
【請求項２】
座受部が、前記壁体同士を連結し、座の巾方向に略沿って延びる面部を有する水平壁体を具備してなる横断面略コ字形状をなしているものであることを特徴とする請求項１記載の折り畳み椅子。
【請求項３】
壁体が、薄板状のものであることを特徴とする請求項１又は２記載の折り畳み椅子。
【請求項４】
座本体が、座受部により形成される開口内に張った状態で取り付けられる張地であることを特徴とする請求項１、２又は３記載の折り畳み椅子。
【発明の詳細な説明】
【０００１】
【発明の属する技術分野】
本発明は、オフィス等で好適に利用される折り畳み椅子に関するものである。
【０００２】
【従来の技術】
この種の折り畳み椅子としては、従来、座と、前記座の前端部側を回転可能に支持する前脚フレームと、この前脚フレームに対して回転可能に連結してなるとともに座の後端部側を回転可能に支持する後脚フレームとを具備してなり、前記前脚フレーム・後脚フレーム・座の相対回転によって使用状態から前記前脚フレームと後脚フレームとが略面一をなす折り畳み状態に折り畳めるように構成されているものがある。
【０００３】
そして、この種の折り畳み椅子における座は、通常、座本体と、この座本体を支持する座受部とから構成されている。座本体は、クッション部材をビニール製のカバー等で覆って構成したものであり、座受部は、前後脚フレームと同様に金属製の丸パイプ部材で構成された平面視略ロ字形状のものである。そして、この座受部を構成する丸パイプ部材は、通常、前後両脚フレームの内方側に位置し、内方側の脚フレームの内側面側に支軸部を介して正逆方向に回転可能に支持されている。
【０００４】
【発明が解決しようとする課題】
この種の椅子では、座面をより広く確保して座り心地を良好にすることが望ましい。しかしながら、従来の座受部は、丸パイプ部材を利用しているため、前後脚フレーム間の離間距離をより小さくして見栄えを良好にしたり、折り畳み状態での前後脚フレームと座受部との干渉を防止して薄く折り畳むようにするには、どうしても前記座受部を前後両脚フレームの内方側に位置させるしかなく、座面の巾寸法をより広く確保することは難しいものであった。さらに、従来のものは、座受部が脚フレームの内側面側に支軸部を介して片持ち的に支持されているため、回転動作時や着座時等に前記支軸部に無理な力がかかり、変形を生じたり破損する等の恐れがあった。
【０００５】
【課題を解決するための手段】
上記の問題点を解決するために、本発明は、座と、前記座の一端部側を正逆方向に回転可能に支持する第１の脚フレームと、前記第１の脚フレームに対して正逆方向に回転可能に連結してなるとともに前記座の他端部側を正逆方向に回転可能に支持する第２の脚フレームとを具備してなり、前記第１の脚フレーム・第２の脚フレーム・座の相対回転によって使用状態から前記第１、第２の脚フレームが略面一をなす折り畳み状態に折り畳めるように構成されている折り畳み椅子であって、前記座が、座本体を支持する座受部を具備してなり、この座受部が、座の厚み方向に略沿って延びる面部を有する左右の壁体同士を対向配置して構成されるものであり、折り畳み状態で前記壁体間に第１の脚フレームと第２の脚フレームの何れか一方の脚フレームを収容し得るとともに、前記一方の脚フレームの一端部側を正逆方向に回転可能に支持する支軸部を前記両壁体に支持させており、前記壁体の上下寸法が、前記一方の脚フレームの横断面の直径よりも大きく設定されているとともに、前記一方の脚フレームが前記左右の壁体間に収容され得るように、前記座受部が、前記壁体間において後方側に開放された切欠きを備えているものである。
【０００６】
このような構成のものであると、第１の脚フレームと第２の脚フレームの何れか一方の脚フレームを、座受部を構成する一対の壁体間に収容しているため一方の脚フレームと座受部を略重合状態で折り畳むことができ、折り畳み状態で脚フレームと座受部が巾方向に占める面積を小さくして、結果的に、従来のものと比べて座面の巾寸法をより大きく確保することが可能となる。さらに、前記両壁体を利用して支軸部の両端部を両持ち状態で支持するようにしているので、回転動作時や着座時にもその両端部を確実且つ安定的に支持することが可能となり、変形や破損等を有効に防止して、椅子の耐久性を有効に高めることが可能となる。
【０００７】
座受部の強度を有効に確保するには、座受部が、前記壁体同士を連結し、座の巾方向に沿った面部を有する水平壁体を具備してなる横断面略コ字形状をなしていることが望ましい。
【０００８】
椅子全体の軽量化を図るには、壁体が、薄板状のものであることが望ましい。
【０００９】
好適な実施の形態としては、座本体が、座受部により形成される開口内に張った状態で取り付けられる張地であるものが挙げられる。
【００１０】
【発明の実施の形態】
以下、本発明の一実施の形態について図面を参照して説明する。
【００１１】
本実施例の折り畳み椅子１は、図１に示すように、座４の後端部側を第一軸ｐを介して正逆方向に回転可能に支持する第１の脚フレームたる前脚フレーム２と、前記前脚フレーム２の内側に第三軸ｒを介して回転可能に取り付けてなるとともに座４の前端部側を第二軸ｑを介して正逆方向に回転可能に支持する第２の脚フレームたる後脚フレーム３とを具備してなるもの、すなわち、前脚フレーム２・後脚フレーム３・座４とを第一軸ｐ・第二軸ｑ・第三軸ｒを介してそれぞれ正逆方向に回転可能に連結したもので、図３中実線に示す使用状態Ｐから、前脚フレーム２の内側面と後脚フレーム３の外側面とが対向する位置で前脚フレーム２と後脚フレーム３とが略面一をなす図３中想像線に示す折り畳み状態Ｑに折り畳めるよう構成したものである。なお、この折り畳み椅子１は、折り畳み状態Ｑでは、図４に示すように、他の同一形状の折り畳み椅子１とともに、前面側を下として上下方向に積み上げることができるものである。
【００１２】
前脚フレーム２は、スチール丸パイプ製の略Ｕ字形状のもので、上端部に背もたれ２１を有している。
【００１３】
後脚フレーム３は、スチール丸パイプ製の略Ｕ字形状のもので、前記前脚フレーム２の内側に側面視Ｘ字形状となるように交差させて第三軸ｒを介して前記前脚フレーム２に対して相対的に回転可能となるように連結している。なお、本実施の形態では、前脚フレーム２に対して後脚フレーム３を回転可能に支持する前記第三軸ｒを具備する回転支持体５を前記後脚フレーム３の外側にスライド移動可能に取り付けることにより、使用状態Ｐと折り畳み状態Ｑとの間で座４、前後脚フレーム２、３を回転させる場合に生じる後脚フレーム３と座４の回転中心と前脚フレーム２と後脚フレーム３の回転中心との間の離間距離の変位を吸収するようにしている。
【００１４】
座４は、図２に示すように、中央に開口を有してなる平面視略ロ字形状の座受部６と、この座受部６の開口内に張った状態で取り付けてなるネット状の張地７とを具備してなるものであり、この張地７の張力を利用してクッション部を構成するようにしている。なお、図５及び図６は、この張地７を省略した図となっている。
【００１５】
座受部６は、使用状態Ｐにおいて、奥行方向に沿って延び巾方向に対をなす左右枠体部６１と、これら左右枠体部６１の前端部同士及び後端部同士を連結する平面視部分円弧状の前後枠体部６２とを溶接等の適宜の手段で連結することにより構成されている。これら左右枠体部６１及び前後枠体部６２は、横断面形状が下向き略コ字形状となるように構成されている。
【００１６】
このような構成のものにおいて、本実施の形態では、図５〜図７に示すように、前記座受部６の左右枠体部６１が、座４の巾方向に沿って延びる面部を有する薄板状の水平壁体たる頂壁６１１と、座４の厚み方向に沿って延びる面部を有する対をなす壁体たる左右の垂下壁６１２とを具備してなるものであり、折り畳み状態Ｑで前記左右の垂下壁６１２間に後脚フレーム３を収容し得るとともに、この後脚フレーム３の上端部側を正逆方向に回転可能に支持する支軸部たる前記第二軸ｑの両端部ｑ１、ｑ２を前記左右の垂下壁６１２に支持させている。なお、前記後脚フレーム３が、座受部材６の左右枠体部６１の左右の垂下壁６１２間に収容され得るように、左右枠体部６１の後方側は開放されている。また、図７に示すように、左右枠体部６１の頂壁６１１の巾寸法及び垂下壁６１２の上下寸法は、前記後脚フレーム３の横断面の直径よりも大きく設定されている。
【００１７】
このような構成のものであると、後脚フレーム３を座受部６を構成する左右の垂下壁６１２間に収容しているため、この後脚フレーム３と座受部６とを重合させて折り畳むことができ、折り畳み状態で脚フレーム２、３と座受部６が巾方向に占める面積を小さくして、結果的に、従来のものと比べて座面の巾寸法をより大きく確保することが可能となる。さらに、第二軸ｑの両端部ｑ１、ｑ２を前記左右の垂下壁６１２に支持させて両持ち状態での支持を可能としているので、回転動作時や着座時にもその両端部ｑ１、ｑ２を確実且つ安定的に支持することが可能となり、変形や破損等を有効に防止して、椅子１の耐久性を有効に高めることが可能となる。
【００１８】
座受部６が、前記垂下壁６１２同士を連結し、座４の巾方向に略沿って延びる面部を有する頂壁６１１を具備してなる横断面略コ字形状をなしているので、座枠部６を略コ字形状とすることで、その強度を有効に確保しながら、折り畳み状態での座枠部６と脚フレーム２、３とが巾方向に占める面積を減少させて座４の巾寸法を大きく確保することが可能となる。
【００１９】
頂壁６１１及び垂下壁６１２が、薄板状のものであるので、椅子全体の軽量化を図ることができる。
【００２０】
座本体が、座受部６により形成される開口内に張った状態で取り付けられる張地７であるので、座面をより広く確保することによりこの張地７に撓み巾を持たせて座４のクッション性を向上させた椅子を実現することができるとともに、椅子全体の軽量化も図ることが可能となる。
【００２１】
なお、本発明における構成は、以上説明したものに限定されないのは勿論であり、その他の構成も本発明の趣旨を逸脱しない範囲で種々変形が可能である。
【００２２】
【発明の効果】
本発明は、以上説明したような構成で実施され以下に記載されるような効果を奏する。
【００２３】
すなわち、本発明は、座本体を支持する座受部が、座の厚み方向に略沿って延びる面部を有する左右の壁体同士を対向配置して構成されるものであり、折り畳み状態で前記壁体間に第１の脚フレームと第２の脚フレームの何れか一方の脚フレームを収容し得るとともに、前記一方の脚フレームの一端部側を正逆方向に回転可能に支持する支軸部を前記両壁体に支持させており、前記壁体の上下寸法が、前記一方の脚フレームの横断面の直径よりも大きく設定されているとともに、前記一方の脚フレームが前記左右の壁体間に収容され得るように、前記座受部が、前記壁体間において後方側に開放された切欠きを備えているので、従来のものと比べて座面の巾寸法を大きく確保して、座の座り心地を良好なものとすることが可能となる。また、回転動作時や着座時にもその両端部を確実且つ安定的に支持することが可能となり、変形や破損等を有効に防止して、椅子の耐久性を有効に高めることが可能となる。
【００２４】
座受部が、前記壁体同士を連結し、座の巾方向に沿った面部を有する水平壁体を具備してなる横断面略コ字形状をなしているならば、略コ字形状とすることで、座受部の強度を有効に確保することが可能となる。
【００２５】
壁体が、薄板状のものであるならば、椅子全体の軽量化を図ることができる。
【００２６】
座本体が、座受部により形成される開口内に張った状態で取り付けられる張地であるならば、座面をより広く確保することにより張地に撓み巾を持たせて座のクッション性を向上させた椅子を実現することができるとともに、椅子全体の軽量化も図ることが可能となる。
【図面の簡単な説明】
【図１】本発明の一実施の形態を示す全体斜視図。
【図２】同分解斜視図。
【図３】同椅子の使用状態及び折り畳み状態を示す側面図。
【図４】同折り畳み状態で複数の椅子を積み上げた状態を示す側面図。
【図５】同張地を省略した椅子の折り畳み状態を示す正面図。
【図６】同要部を下方から見た状態を示す斜視図。
【図７】同図５におけるＩ−Ｉ線拡大断面図。
【符号の説明】
１…折り畳み椅子
２…第１の脚フレーム（前脚フレーム）
３…第２の脚フレーム（後脚フレーム）
４…座
６…座受部
６１１…水平壁体（頂壁）
６１２…壁体（垂下壁）
７…張地
ｑ…支軸部（第二軸）
Ｐ…使用状態
Ｑ…折り畳み状態
【図１】
0004785241.tif 000002
【図２】
0004785241.tif 000003
【図３】
0004785241.tif 000004
【図４】
0004785241.tif 000005
【図５】
0004785241.tif 000006
【図６】
0004785241.tif 000007
【図７】
0004785241.tif 000008